【手続補正書】
【提出日】平成17年6月2日(2005.6.2)
【手続補正１】
【補正対象書類名】明細書
【補正対象項目名】特許請求の範囲
【補正方法】変更
【補正の内容】
【特許請求の範囲】
【請求項１】  下記式：
【化１】
2001521020.tif 000001
〔式中、Ｒは水素または低級アルキルであり；
Ｒ1〜Ｒ14は相互に独立して水素、炭素原子１〜６個の直鎖または分枝鎖のアルキル、フェニル、ベンジル、フッ素、塩素、臭素、ヒドロキシ、ヒドロキシメチル、アミノ、アミノメチル、トリフルオロメチル、−ＣＯ2Ｈ、−ＣＯ2Ｒ15、−ＣＨ2ＣＯ2Ｈ、−ＣＨ2ＣＯ2Ｒ15、−ＯＲ15から選択され、ここでＲ15は炭素原子１〜６個の直鎖または分枝鎖のアルキル、フェニルまたはベンジルであり、そして、Ｒ1〜Ｒ8は同時に水素であることはない〕の化合物または製薬上許容しうるその塩。
【請求項２】  Ｒ1〜Ｒ14が水素、メチル、エチル、プロピル、イソプロピル、直鎖または分枝鎖のブチル、フェニルまたはベンジルから選択される請求項１記載の化合物。
【請求項３】  Ｒ1〜Ｒ14が水素、メチル、エチルまたはベンジルから選択される請求項１記載の化合物。
【請求項４】  下記化合物：
(±)−（トランス）−（１−アミノメチル−３,４−ジメチル−シクロペンチル）−酢酸塩酸塩；
（１−アミノメチル−シクロブチル）−酢酸塩酸塩；
（シス／トランス）−（３Ｒ）−（１−アミノメチル−３−メチル−シクロペンチル）−酢酸塩酸塩；
（シス／トランス）−（１−アミノメチル−３−ベンジル−シクロブチル）−酢酸塩酸
塩；
（±）−（１−アミノメチル−３,３−ジメチル−シクロペンチル）−酢酸塩酸塩；および、
（シス）−（３Ｒ）−（１−アミノメチル−３−メチル−シクロペンチル）−酢酸塩酸塩からなる群より選択される請求項１記載の化合物。
【請求項５】  下記化合物：
（１α,３α,４α）−（１−アミノメチル−３,４−ジメチル−シクロペンチル）−酢酸；
（１α,３α,４α）−（１−アミノメチル−３,４−ジエチル−シクロペンチル）−酢酸；
（１α,３α,４α）−（１−アミノメチル−３,４−ジイソプロピル−シクロペンチル）−酢酸；
［１Ｓ−（１α,３α,４α）］−（１−アミノメチル−３−エチル−４−メチル−シクロペンチル）−酢酸；
［１Ｒ−（１α,３α,４α）］−（１−アミノメチル−３−エチル−４−メチル−シクロペンチル）−酢酸；
［１Ｓ−（１α,３α,４α）］−（１−アミノメチル−３−イソプロピル−４−メチル−シクロペンチル）−酢酸；
［１Ｒ−（１α,３α,４α）］−（１−アミノメチル−３−イソプロピル−４−メチル−シクロペンチル）−酢酸；
［１Ｓ−（１α,３α,４α）］−（１−アミノメチル−３−エチル−４−イソプロピル−シクロペンチル）−酢酸；
［１Ｒ−（１α,３α,４α）］−（１−アミノメチル−３−エチル−４−イソプロピル−シクロペンチル）−酢酸；
［１Ｓ−（１α,３α,４α）］−（１−アミノメチル−３−ｔ−ブチル−４−メチル−シクロペンチル）−酢酸；
［１Ｒ−（１α,３α,４α）］−（１−アミノメチル−３−ｔ−ブチル−４−メチル−シクロペンチル）−酢酸；
［１Ｓ−（１α,３α,４α）］−（１−アミノメチル−３−ｔ−ブチル−４−エチル−シクロペンチル）−酢酸；
［１Ｒ−（１α,３α,４α）］−（１−アミノメチル−３−ｔ−ブチル−４−エチル−シクロペンチル）−酢酸；
［１Ｓ−（１α,３α,４α）］−（１−アミノメチル−３−ｔ−ブチル−４−イソプロピル−シクロペンチル）−酢酸；
［１Ｒ−（１α,３α,４α）］−（１−アミノメチル−３−ｔ−ブチル−４−イソプロピル−シクロペンチル）−酢酸；
（１α,３α,４α）−（１−アミノメチル−３,４−ジ−ｔ−ブチル−シクロペンチル）−酢酸；
［１Ｓ−（１α,３α,４α）］−（１−アミノメチル−３−メチル−４−フェニル−シクロペンチル）−酢酸；
［１Ｒ−（１α,３α,４α）］−（１−アミノメチル−３−メチル−４−フェニル−シクロペンチル）−酢酸；
［１Ｓ−（１α,３α,４α）］−（１−アミノメチル−３−ベンジル−４−メチル−シクロペンチル）−酢酸；
［１Ｒ−（１α,３α,４α）］−（１−アミノメチル−３−ベンジル−４−メチル−シクロペンチル）−酢酸；
（１Ｓ−シス）−（１−アミノメチル−３−メチル−シクロペンチル）−酢酸；
（１Ｓ−シス）−（１−アミノメチル−３−エチル−シクロペンチル）−酢酸；
（１Ｓ−シス）−（１−アミノメチル−３−イソプロピル−シクロペンチル）−酢酸；
（１Ｓ−シス）−（１−アミノメチル−３−ｔ−ブチル−シクロペンチル）−酢酸；
（１Ｓ−シス）−（１−アミノメチル−３−フェニル−シクロペンチル）−酢酸；
（１Ｓ−シス）−（１−アミノメチル−３−ベンジル−シクロペンチル）−酢酸；
（１Ｒ−シス）−（１−アミノメチル−３−メチル−シクロペンチル）−酢酸；
（１Ｒ−シス）−（１−アミノメチル−３−エチル−シクロペンチル）−酢酸；
（１Ｒ−シス）−（１−アミノメチル−３−イソプロピル−シクロペンチル）−酢酸；
（１Ｒ−シス）−（１−アミノメチル−３−ｔ−ブチル−シクロペンチル）−酢酸；
（１Ｒ−シス）−（１−アミノメチル−３−フェニル−シクロペンチル）−酢酸；
（１Ｒ−シス）−（１−アミノメチル−３−ベンジル−シクロペンチル）−酢酸；
（Ｓ）−（１−アミノメチル−３,３−ジメチル−シクロペンチル）−酢酸；
（Ｓ）−（１−アミノメチル−３,３−ジエチル−シクロペンチル）−酢酸；
（１−アミノメチル−３,３,４,４−テトラメチル−シクロペンチル）−酢酸；
（１−アミノメチル−３,３,４,４−テトラエチル−シクロペンチル）−酢酸；
（１α,３β,４β）−（１−アミノメチル−３,４−ジメチル−シクロペンチル）−酢酸；
（１α,３β,４β）−（１−アミノメチル−３,４−ジエチル−シクロペンチル）−酢酸；
（１α,３β,４β）−（１−アミノメチル−３,４−ジイソプロピル−シクロペンチル）−酢酸；
［１Ｒ−（１α,３β,４β）］−（１−アミノメチル−３−エチル−４−メチル−シクロペンチル）−酢酸；
［１Ｓ−（１α,３β,４β）］−（１−アミノメチル−３−エチル−４−メチル−シクロペンチル）−酢酸；
［１Ｒ−（１α,３β,４β）］−（１−アミノメチル−３−イソプロピル−４−メチル−シクロペンチル）−酢酸；
［１Ｓ−（１α,３β,４β）］−（１−アミノメチル−３−イソプロピル−４−メチル−シクロペンチル）−酢酸；
［１Ｒ−（１α,３β,４β）］−（１−アミノメチル−３−エチル−４−イソプロピル−シクロペンチル）−酢酸；
［１Ｓ−（１α,３β,４β）］−（１−アミノメチル−３−エチル−４−イソプロピル−シクロペンチル）−酢酸；
［１Ｒ−（１α,３β,４β）］−（１−アミノメチル−３−ｔ−ブチル−４−メチル−シクロペンチル）−酢酸；
［１Ｓ−（１α,３β,４β）］−（１−アミノメチル−３−ｔ−ブチル−４−メチル−シクロペンチル）−酢酸；
［１Ｒ−（１α,３β,４β）］−（１−アミノメチル−３−ｔ−ブチル−４−エチル−シクロペンチル）−酢酸；
［１Ｓ−（１α,３β,４β）］−（１−アミノメチル−３−ｔ−ブチル−４−エチル−シクロペンチル）−酢酸；
［１Ｒ−（１α,３β,４β）］−（１−アミノメチル−３−ｔ−ブチル−４−イソプロピル−シクロペンチル）−酢酸；
［１Ｓ−（１α,３β,４β）］−（１−アミノメチル−３−ｔ−ブチル−４−イソプロピル−シクロペンチル）−酢酸；
（１α,３β,４β）−（１−アミノメチル−３,４−ジ−ｔ−ブチル−シクロペンチル）−酢酸；
［１Ｒ−（１α,３β,４β）］−（１−アミノメチル−３−メチル−４−フェニル−シクロペンチル）−酢酸；
［１Ｓ−（１α,３β,４β）］−（１−アミノメチル−３−メチル−４−フェニル−シクロペンチル）−酢酸；
［１Ｒ−（１α,３β,４β）］−（１−アミノメチル−３−ベンジル−４−メチル−シクロペンチル）−酢酸；
［１Ｓ−（１α,３β,４β）］−（１−アミノメチル−３−ベンジル−４−メチル−シクロペンチル）−酢酸；
（１Ｒ−トランス）−（１−アミノメチル−３−メチル−シクロペンチル）−酢酸；
（１Ｒ−トランス）−（１−アミノメチル−３−エチル−シクロペンチル）−酢酸；
（１Ｒ−トランス）−（１−アミノメチル−３−イソプロピル−シクロペンチル）−酢酸；
（１Ｒ−トランス）−（１−アミノメチル−３−ｔ−ブチル−シクロペンチル）−酢酸；
（１Ｒ−トランス）−（１−アミノメチル−３−フェニル−シクロペンチル）−酢酸；
（１Ｒ−トランス）−（１−アミノメチル−３−ベンジル−シクロペンチル）−酢酸；
（１Ｓ−トランス）−（１−アミノメチル−３−メチル−シクロペンチル）−酢酸；
（１Ｓ−トランス）−（１−アミノメチル−３−エチル−シクロペンチル）−酢酸；
（１Ｓ−トランス）−（１−アミノメチル−３−イソプロピル−シクロペンチル）−酢酸；
（１Ｓ−トランス）−（１−アミノメチル−３−ｔ−ブチル−シクロペンチル）−酢酸；
（１Ｓ−トランス）−（１−アミノメチル−３−フェニル−シクロペンチル）−酢酸；
（１Ｓ−トランス）−（１−アミノメチル−３−ベンジル−シクロペンチル）−酢酸；
（Ｒ）−（１−アミノメチル−３,３−ジメチル−シクロペンチル）−酢酸；
（Ｒ）−（１−アミノメチル−３,３−ジエチル−シクロペンチル）−酢酸；
シス−（１−アミノメチル−３−メチル−シクロブチル）−酢酸；
シス−（１−アミノメチル−３−エチル−シクロブチル）−酢酸；
シス−（１−アミノメチル−３−イソプロピル−シクロブチル）−酢酸；
シス−（１−アミノメチル−３−ｔ−ブチル−シクロブチル）−酢酸；
シス−（１−アミノメチル−３−フェニル−シクロブチル）−酢酸；
シス−（１−アミノメチル−３−ベンジル−シクロブチル）−酢酸；
トランス−（１−アミノメチル−３−メチル−シクロブチル）−酢酸；
トランス−（１−アミノメチル−３−エチル−シクロブチル）−酢酸；
トランス−（１−アミノメチル−３−イソプロピル−シクロブチル）−酢酸;
トランス−（１−アミノメチル−３−ｔ−ブチル−シクロブチル）−酢酸；
トランス−（１−アミノメチル−３−フェニル−シクロブチル）−酢酸；
トランス−（１−アミノメチル−３−ベンジル−シクロブチル）−酢酸；
シス−（１−アミノメチル−３−エチル−３−メチル−シクロブチル）−酢酸；
シス−（１−アミノメチル−３−イソプロピル−３−メチル−シクロブチル）−酢酸；
シス−（１−アミノメチル−３−ｔ−ブチル−３−メチル−シクロブチル）−酢酸；
シス−（１−アミノメチル−３−メチル−３−フェニル−シクロブチル）−酢酸；
シス−（１−アミノメチル−３−ベンジル−３−メチル−シクロブチル）−酢酸；
トランス−（１−アミノメチル−３−エチル−３−メチル−シクロブチル）−酢酸；
トランス−（１−アミノメチル−３−イソプロピル−３−メチル−シクロブチル）−酢酸；
トランス−（１−アミノメチル−３−ｔ−ブチル−３−メチル−シクロブチル）−酢酸；
トランス−（１−アミノメチル−３−メチル−３−フェニル−シクロブチル）−酢酸；
トランス−（１−アミノメチル−３−ベンジル−３−メチル−シクロブチル）−酢酸；
シス−（１−アミノメチル−３−エチル−３−イソプロピル−シクロブチル）−酢酸；
シス−（１−アミノメチル−３−ｔ−ブチル−３−エチル−シクロブチル）−酢酸；
シス−（１−アミノメチル−３−エチル−３−フェニル−シクロブチル）−酢酸；
シス−（１−アミノメチル−３−ベンジル−３−エチル−シクロブチル）−酢酸；
トランス−（１−アミノメチル−３−エチル−３−イソプロピル−シクロブチル）−酢酸；
トランス−（１−アミノメチル−３−ｔ−ブチル−３−エチル−シクロブチル）−酢酸；
トランス−（１−アミノメチル−３−エチル−３−フェニル−シクロブチル）−酢酸；
トランス−（１−アミノメチル−３−ベンジル−３−エチル−シクロブチル）−酢酸；
シス−（１−アミノメチル−３−ｔ−ブチル−３−イソプロピル−シクロブチル）−酢酸；
シス−（１−アミノメチル−３−イソプロピル−３−フェニル−シクロブチル）−酢酸；
トランス−（１−アミノメチル−３−ベンジル−３−イソプロピル−シクロブチル）−酢酸；
シス−（１−アミノメチル−３−ｔ−ブチル−３−フェニル−シクロブチル）−酢酸；
トランス−（１−アミノメチル−３−ベンジル−３−ｔ−ブチル−シクロブチル）−酢酸；
トランス−（１−アミノメチル−３−ｔ−ブチル−３−イソプロピル−シクロブチル）−酢酸；
トランス−（１−アミノメチル−３−イソプロピル−３−フェニル−シクロブチル）−酢酸；
シス−（１−アミノメチル−３−ベンジル−３−イソプロピル−シクロブチル）−酢酸；
トランス−（１−アミノメチル−３−ｔ−ブチル−３−フェニル−シクロブチル）−酢酸；
シス−（１−アミノメチル−３−ベンジル−３−ｔ−ブチル−シクロブチル）−酢酸；
（１−アミノメチル−３,３−ジメチル−シクロブチル）−酢酸；
（１−アミノメチル−３,３−ジエチル−シクロブチル）−酢酸；
（１−アミノメチル−３,３−ジイソプロピル−シクロブチル）−酢酸；
（１−アミノメチル−３,３−ジ−ｔ−ブチル−シクロブチル）−酢酸；
（１−アミノメチル−３,３−ジフェニル−シクロブチル）−酢酸；
（１−アミノメチル−３,３−ジベンジル−シクロブチル）−酢酸；
（１−アミノメチル−２,２,４,４−テトラメチル−シクロブチル）−酢酸；
（１−アミノメチル−２,２,３,３,４,４−ヘキサメチル−シクロブチル）−酢酸；
（Ｒ）−（１−アミノメチル−２,２−ジメチル−シクロブチル）−酢酸；
（Ｓ）−（１−アミノメチル−２,２−ジメチル−シクロブチル）−酢酸；
（１Ｒ−シス）−（１−アミノメチル−２−メチル−シクロブチル）−酢酸;
［１Ｒ−（１α,２α,３α）］−（１−アミノメチル−２,３−ジメチル−シクロブチル）−酢酸；
（１α,２α,４α）−（１−アミノメチル−２,４−ジメチル−シクロブチル）−酢酸；
［１Ｒ−（１α,２α,３β）］−（１−アミノメチル−２,３−ジメチル−シクロブチル）−酢酸；
（１α,２α,４β）−（１−アミノメチル−２,４−ジメチル−シクロブチル）−酢酸；
（１Ｓ−トランス）−（１−アミノメチル−２−メチル−シクロブチル）−酢酸；
［１Ｓ−（１α,２β,３β）］−（１−アミノメチル−２,３−ジメチル−シクロブチル）−酢酸；
（１α,２β,４β）−（１−アミノメチル−２,４−ジメチル−シクロブチル）−酢酸；
［１Ｓ−（１α,２β,３α）］−（１−アミノメチル−２,３−ジメチル−シクロブチル）−酢酸；
（１α,２β,４α）−（１−アミノメチル−２,４−ジメチル−シクロブチル）−酢酸；
（１Ｒ−トランス）−（１−アミノメチル−２−メチル−シクロブチル）−酢酸；
［１Ｒ−（１α,２β,３β）］−（１−アミノメチル−２,３−ジメチル−シクロブチル）−酢酸；
［１Ｒ−（１α,２β,４β）］−（１−アミノメチル−２−エチル−４−メチル−シクロブチル）−酢酸；
［１Ｒ−（１α,２β,３α）］−（１−アミノメチル−２,３−ジメチル−シクロブチル）−酢酸；
（１α,２β,４α）−（１−アミノメチル−２,４−ジメチル−シクロブチル）−酢酸；
（１Ｓ−シス）−（１−アミノメチル−２−メチル−シクロブチル）−酢酸;
［１Ｓ−（１α,２α,３α）］−（１−アミノメチル−２,３−ジメチル−シクロブチル）−酢酸；
［１Ｓ−（１α,２α,３α）］−（１−アミノメチル−２,４−ジメチル−シクロブチル）−酢酸；
［１Ｓ−（１α,２β,３α）］−（１−アミノメチル−２,３−ジメチル−シクロブチル）−酢酸；
（１α,２α,４β）−（１−アミノメチル−２,４−ジメチル−シクロブチル）−酢酸；
（３Ｓ，４Ｓ）−（１−アミノメチル−３,４−ジメチル−シクロペンチル）−酢酸；
（３Ｒ，４Ｒ）−（１−アミノメチル−３,４−ジメチル−シクロペンチル）−酢酸；
（３Ｓ，４Ｓ）−（１−アミノメチル−３,４−ジエチル−シクロペンチル）−酢酸；
（３Ｒ，４Ｒ）−（１−アミノメチル−３,４−ジエチル−シクロペンチル）−酢酸；
（３Ｓ，４Ｓ）−（１−アミノメチル−３,４−ジイソプロピル−シクロペンチル）−酢酸；
（３Ｒ，４Ｒ）−（１−アミノメチル−３,４−ジイソプロピル−シクロペンチル）−酢酸；
（３Ｓ，４Ｓ）−（１−アミノメチル−３,４−ジ−ｔ−ブチル−シクロペンチル）−酢酸；
（３Ｒ，４Ｒ）−（１−アミノメチル−３,４−ジ−ｔ−ブチル−シクロペンチル）−酢酸；
（３Ｓ，４Ｓ）−（１−アミノメチル−３,４−ジフェニル−シクロペンチル）−酢酸；
（３Ｒ，４Ｒ）−（１−アミノメチル−３,４−ジフェニル−シクロペンチル）−酢酸；
（３Ｓ，４Ｓ）−（１−アミノメチル−３,４−ジベンジル−シクロペンチル）−酢酸；
（３Ｒ，４Ｒ）−（１−アミノメチル−３,４−ジベンジル−シクロペンチル）−酢酸；
［１Ｓ−（１α,３α,４β）］−（１−アミノメチル−３−メチル−４−エチル−シクロペンチル）−酢酸；
［１Ｒ−（１α,３β,４α）］−（１−アミノメチル−３−メチル−４−エチル−シクロペンチル）−酢酸；
［１Ｒ−（１α,３α,４β）］−（１−アミノメチル−３−メチル−４−エチル−シクロペンチル）−酢酸；
［１Ｓ−（１α,３β,４α）］−（１−アミノメチル−３−メチル−４−エチル−シクロペンチル）−酢酸；
［１Ｓ−（１α,３α,４β）］−（１−アミノメチル−３−メチル−４−イソプロピル−シクロペンチル）−酢酸；
［１Ｒ−（１α,３β,４α）］−（１−アミノメチル−３−メチル−４−イソプロピル−シクロペンチル）−酢酸；
［１Ｒ−（１α,３α,４β）］−（１−アミノメチル−３−メチル−４−イソプロピル−シクロペンチル）−酢酸；
［１Ｓ−（１α,３β,４α）］−（１−アミノメチル−３−メチル−４−イソプロピル−シクロペンチル）−酢酸；
［１Ｓ−（１α,３α,４β）］−（１−アミノメチル−３−メチル−４−ｔ−ブチル−シクロペンチル）−酢酸；
［１Ｒ−（１α,３β,４α）］−（１−アミノメチル−３−メチル−４−ｔ−ブチル−シクロペンチル）−酢酸；
［１Ｒ−（１α,３α,４β）］−（１−アミノメチル−３−メチル−４−ｔ−ブチル−シクロペンチル）−酢酸；
［１Ｓ−（１α,３β,４β）］−（１−アミノメチル−３−メチル−４−ｔ−ブチル−シクロペンチル）−酢酸；
［１Ｓ−（１α,３α,４β）］−（１−アミノメチル−３−メチル−４−フェニル−シクロペンチル）−酢酸；
［１Ｒ−（１α,３β,４α）］−（１−アミノメチル−３−メチル−４−フェニル−シクロペンチル）−酢酸；
［１Ｒ−（１α,３α,４β）］−（１−アミノメチル−３−メチル−４−フェニル−シクロペンチル）−酢酸；
［１Ｓ−（１α,３β,４α）］−（１−アミノメチル−３−メチル−４−フェニル−シクロペンチル）−酢酸；
［１Ｓ−（１α,３α,４β）］−（１−アミノメチル−３−ベンジル−４−メチル−シクロペンチル）−酢酸；
［１Ｒ−（１α,３β,４α）］−（１−アミノメチル−３−ベンジル−４−メチル−シクロペンチル）−酢酸；
［１Ｒ−（１α,３α,４β）］−（１−アミノメチル−３−ベンジル−４−メチル−シクロペンチル）−酢酸；
［１Ｓ−（１α,３β,４α）］−（１−アミノメチル−３−ベンジル−４−メチル−シクロペンチル）−酢酸；
［１Ｓ−（１α,３α,４β）］−（１−アミノメチル−３−エチル−４−イソプロピル−シクロペンチル）−酢酸；
［１Ｒ−（１α,３β,４α）］−（１−アミノメチル−３−エチル−４−イソプロピル−シクロペンチル）−酢酸；
［１Ｒ−（１α,３α,４β）］−（１−アミノメチル−３−エチル−４−イソプロピル−シクロペンチル）−酢酸；
［１Ｓ−（１α,３β,４α）］−（１−アミノメチル−３−エチル−４−イソプロピル−シクロペンチル）−酢酸；
［１Ｓ−（１α,３α,４β）］−（１−アミノメチル−３−ｔ−ブチル−４−エチル−シクロペンチル）−酢酸；
［１Ｒ−（１α,３β,４α）］−（１−アミノメチル−３−ｔ−ブチル−４−エチル−シクロペンチル）−酢酸；
［１Ｒ−（１α,３α,４β）］−（１−アミノメチル−３−ｔ−ブチル−４−エチル−シクロペンチル）−酢酸；
［１Ｓ−（１α,３β,４α）］−（１−アミノメチル−３−ｔ−ブチル−４−エチル−シクロペンチル）−酢酸；
［１Ｓ−（１α,３α,４β）］−（１−アミノメチル−３−エチル−４−フェニル−シクロペンチル）−酢酸；
［１Ｒ−（１α,３β,４α）］−（１−アミノメチル−３−エチル−４−フェニル−シクロペンチル）−酢酸；
［１Ｒ−（１α,３α,４β）］−（１−アミノメチル−３−エチル−４−フェニル−シクロペンチル）−酢酸；
［１Ｓ−（１α,３β,４α）］−（１−アミノメチル−３−エチル−４−フェニル−シクロペンチル）−酢酸；
［１Ｓ−（１α,３α,４β）］−（１−アミノメチル−３−ベンジル−４−エチル−シクロペンチル）−酢酸；
［１Ｒ−（１α,３β,４α）］−（１−アミノメチル−３−ベンジル−４−エチル−シクロペンチル）−酢酸；
［１Ｒ−（１α,３α,４β）］−（１−アミノメチル−３−ベンジル−４−エチル−シクロペンチル）−酢酸；
［１Ｓ−（１α,３β,４α）］−（１−アミノメチル−３−ベンジル−４−エチル−シクロペンチル）−酢酸；
［１Ｓ−（１α,３α,４β）］−（１−アミノメチル−３−ｔ−ブチル−４−イソプロピル−シクロペンチル）−酢酸；
［１Ｒ−（１α,３β,４α）］−（１−アミノメチル−３−ｔ−ブチル−４−イソプロピル−シクロペンチル）−酢酸；
［１Ｒ−（１α,３α,４β）］−（１−アミノメチル−３−ｔ−ブチル−４−イソプロピル−シクロペンチル）−酢酸；
［１Ｓ−（１α,３β,４α）］−（１−アミノメチル−３−ｔ−ブチル−４−イソプロピル−シクロペンチル）−酢酸；
［１Ｓ−（１α,３α,４β）］−（１−アミノメチル−３−イソプロピル−４−フェニル−シクロペンチル）−酢酸；
［１Ｒ−（１α,３β,４α）］−（１−アミノメチル−３−イソプロピル−４−フェニル−シクロペンチル）−酢酸；
［１Ｒ−（１α,３α,４β）］−（１−アミノメチル−３−イソプロピル−４−フェニル−シクロペンチル）−酢酸；
［１Ｓ−（１α,３β,４α）］−（１−アミノメチル−３−イソプロピル−４−フェニル−シクロペンチル）−酢酸；
［１Ｓ−（１α,３α,４β）］−（１−アミノメチル−３−ベンジル−４−イソプロピル−シクロペンチル）−酢酸；
［１Ｒ−（１α,３β,４α）］−（１−アミノメチル−３−ベンジル−４−イソプロピル−シクロペンチル）−酢酸；
［１Ｒ−（１α,３α,４β）］−（１−アミノメチル−３−ベンジル−４−イソプロピル−シクロペンチル）−酢酸；
［１Ｓ−（１α,３β,４α）］−（１−アミノメチル−３−ベンジル−４−イソプロピル−シクロペンチル）−酢酸；
［１Ｓ−（１α,３α,４β）］−（１−アミノメチル−３−ｔ−ブチル−４−フェニル−シクロペンチル）−酢酸；
［１Ｒ−（１α,３β,４α）］−（１−アミノメチル−３−ｔ−ブチル−４−フェニル−シクロペンチル）−酢酸；
［１Ｒ−（１α,３α,４β）］−（１−アミノメチル−３−ｔ−ブチル−４−フェニル−シクロペンチル）−酢酸；
［１Ｓ−（１α,３β,４α）］−（１−アミノメチル−３−ｔ−ブチル−４−フェニル−シクロペンチル）−酢酸；
［１Ｒ−（１α,３α,４β）］−（１−アミノメチル−３−ベンジル−４−ｔ−ブチル−シクロペンチル）−酢酸；
［１Ｓ−（１α,３β,４α）］−（１−アミノメチル−３−ベンジル−４−ｔ−ブチル−シクロペンチル）−酢酸；
［１Ｓ−（１α,３α,４β）］−（１−アミノメチル−３−ベンジル−４−ｔ−ブチル−シクロペンチル）−酢酸；
［１Ｒ−（１α,３β,４α）］−（１−アミノメチル−３−ベンジル−４−ｔ−ブチル−シクロペンチル）−酢酸；
［１Ｓ−（１α,３α,４β）］−（１−アミノメチル−３−ベンジル−４−フェニル−シクロペンチル）−酢酸；
［１Ｒ−（１α,３β,４α）］−（１−アミノメチル−３−ベンジル−４−フェニル−シクロペンチル）−酢酸；
［１Ｒ−（１α,３α,４β）］−（１−アミノメチル−３−ベンジル−４−フェニル−シクロペンチル）−酢酸；
［１Ｓ−（１α,３β,４α）］−（１−アミノメチル−３−ベンジル−４−フェニル−シクロペンチル）−酢酸；
（１Ｒ−シス）−（１−アミノメチル−２−メチル−シクロペンチル）−酢酸；
（１Ｓ−シス）−（１−アミノメチル−２−メチル−シクロペンチル）−酢酸；
（１Ｒ−トランス）−（１−アミノメチル−２−メチル−シクロペンチル）−酢酸；
（１Ｓ−トランス）−（１−アミノメチル−２−メチル−シクロペンチル）−酢酸；
（Ｒ）−（１−アミノメチル−２,２−ジメチル−シクロペンチル）−酢酸；
（Ｓ）−（１−アミノメチル−２,２−ジメチル−シクロペンチル）−酢酸；
（１−アミノメチル−２,２,５,５−テトラメチル−シクロペンチル）−酢酸；
（１α,２β,５β）−（１−アミノメチル−２,５−ジメチル−シクロペンチル）−酢酸；
（２Ｒ，５Ｒ）−（１−アミノメチル−２,５−ジメチル−シクロペンチル）−酢酸；
（２Ｓ，５Ｓ）−（１−アミノメチル−２,５−ジメチル−シクロペンチル）−酢酸；
（１α,２α,５α）−（１−アミノメチル−２,５−ジメチル−シクロペンチル）−酢酸；
［１Ｒ−（１α,２α,３α）］−（１−アミノメチル−２,３−ジメチル−シクロペンチル）−酢酸；
［１Ｒ−（１α,２β,３α）］−（１−アミノメチル−２,３−ジメチル−シクロペンチル）−酢酸；
［１Ｒ−（１α,２α,３β）］−（１−アミノメチル−２,３−ジメチル−シクロペンチル）−酢酸；
［１Ｒ−（１α,２β,３β）］−（１−アミノメチル−２,３−ジメチル−シクロペンチル）−酢酸；
［１Ｓ−（１α,２α,３α）］−（１−アミノメチル−２,３−ジメチル−シクロペンチル）−酢酸；
［１Ｓ−（１α,２β,３α）］−（１−アミノメチル−２,３−ジメチル−シクロペンチル）−酢酸；
［１Ｓ−（１α,２α,３β）］−（１−アミノメチル−２,３−ジメチル−シクロペンチル）−酢酸；
［１Ｓ−（１α,２β,３β）］−（１−アミノメチル−２,３−ジメチル−シクロペンチル）−酢酸；
［１Ｒ−（１α,２α,４α）］−（１−アミノメチル−２,４−ジメチル−シクロペンチル）−酢酸；
［１Ｓ−（１α,２α,４α）］−（１−アミノメチル−２,４−ジメチル−シクロペンチル）−酢酸；
［１Ｒ−（１α,２α,４β）］−（１−アミノメチル−２,４−ジメチル−シクロペンチル）−酢酸；
［１Ｓ−（１α,２α,４β）］−（１−アミノメチル−２,４−ジメチル−シクロペンチル）−酢酸；
［１Ｒ−（１α,２β,４α）］−（１−アミノメチル−２,４−ジメチル−シクロペンチル）−酢酸；
［１Ｓ−（１α,２β,４α）］−（１−アミノメチル−２,４−ジメチル−シクロペンチル）−酢酸；
［１Ｒ−（１α,２β,４β）］−（１−アミノメチル−２,４−ジメチル−シクロペン
チル）−酢酸；および
［１Ｓ−（１α,２β,４β）］−（１−アミノメチル−２,４−ジメチル−シクロペンチル）−酢酸
からなる群より選択される請求項１記載の化合物。
【請求項６】  請求項１に記載の化合物の治療有効量および製薬上許容しうる担体を含有する医薬組成物。
【請求項７】  請求項１に記載の化合物を含有する癲癇の治療剤。
【請求項８】  請求項１に記載の化合物を含有する失神発作、運動低下症または頭蓋疾患の治療剤。
【請求項９】  請求項１に記載の化合物を含有する神経変性性疾患の治療剤。
【請求項１０】  請求項１に記載の化合物を含有する抑鬱症の治療剤。
【請求項１１】  請求項１に記載の化合物を含有する不安症の治療剤。
【請求項１２】  請求項１に記載の化合物を含有する恐慌の治療剤。
【請求項１３】  請求項１に記載の化合物を含有する疼痛の治療剤。
【請求項１４】  請求項１に記載の化合物を含有する神経病理学的疾患の治療剤。
【請求項１５】  請求項１に記載の化合物を含有する炎症の治療剤。
【請求項１６】  請求項１に記載の化合物を含有する胃腸疾患の治療剤。
【請求項１７】  請求項１に記載の化合物を含有する過敏性大腸症候群の治療剤。
【請求項１８】  下記化合物：
（トランス）−（３,４−ジメチル−シクロペンチリデン）−酢酸エチルエステル；
（トランス）−（３,４−ジメチル−１−ニトロメチル−シクロペンチル）−酢酸；
（±）−（トランス）−７,８−ジメチル−２−アザ−スピロ［４.４］ノナン−３−オン；
（１−ニトロメチル−シクロブチル）−酢酸エチルエステル；
（シス／トランス）−（３Ｒ）−（３−メチル−１−ニトロメチル−シクロペンチル）−酢酸エチルエステル；
（シス／トランス）−（７Ｒ）−７−メチル−２−アザ−スピロ［４.４］ノナン−３−オン；
（シス）−（３,４−ジメチル−シクロペンチリデン）−酢酸エチルエステル；
（トランス）−（３,４−ジメチル−１−ニトロメチル−シクロペンチル）−酢酸エチルエステル；
（トランス）−７,８−ジメチル−２−アザ−スピロ［４.４］ノナン−３−オン；
（３−ベンジル−シクロブチリデン）−酢酸エチルエステル；
（シス／トランス）−（３−ベンジル−１−ニトロメチル−シクロペンチル）−酢酸エチルエステル
（Ｓ,Ｓ）−７,８−ジメチル−２−アザ−スピロ［４.４］ノナン−３−オン；
（トランス）−７Ｒ−メチル−２−アザ−スピロ［４.４］ノナン−３−オン；および
（Ｒ,Ｒ）−７,８−ジメチル−２−アザ−スピロ［４.４］ノナン−３−オン
から選択される化合物。
【手続補正２】
【補正対象書類名】明細書
【補正対象項目名】００２２
【補正方法】変更
【補正の内容】
【００２２】
本発明の化合物の調製において有用な特定の中間体は次の通りである。
（トランス）−（３,４−ジメチル−シクロペンチリデン）−酢酸エチルエステル；
（トランス）−（３,４−ジメチル−１−ニトロメチル−シクロペンチル）−酢酸；
（±）−（トランス）−７,８−ジメチル−２−アザ−スピロ［４．４］ノナン−３−オン；
（１−ニトロメチル−シクロブチル）−酢酸エチルエステル；
（シス／トランス）−（３Ｒ）−（３−メチル−１−ニトロメチル−シクロペンチル）−酢酸エチルエステル；
（シス／トランス）−（７Ｒ）−７−メチル−２−アザ−スピロ［４．４］ノナン−３−オン；
（シス）−（３,４−ジメチル−シクロペンチリデン）−酢酸エチルエステル；
（トランス）−（３,４−ジメチル−１−ニトロメチル−シクロペンチル）−酢酸エチルエステル；
（トランス）−７,８−ジメチル−２−アザ−スピロ［４．４］ノナン−３−オン；
（３−ベンジル−シクロブチリデン）−酢酸エチルエステル；および
（シス／トランス）−（３−ベンジル−１−ニトロメチル−シクロペンチル）−酢酸エチルエステル。
【手続補正３】
【補正対象書類名】明細書
【補正対象項目名】００７９
【補正方法】変更
【補正の内容】
【００７９】
（±）−（トランス）−７,８−ジメチル−２−アザ−スピロ［４.４］ノナン−３−オン（４）の合成
ニトロエステル（３）（１.１４ｇ，４.７ミリモル）をメタノール（５０mL）に溶解し、３０℃で水素雰囲気下（４０psi）ラネーニッケル触媒上に振とうした。５時間後、触媒をセライトで濾去した。溶媒を真空下に除去し、得られた淡黄色油状物７４６mg（９５％）は放置により固化した。
1H NMR 400 MHz（CDCl3）：δ 0.98(6H, d, J=6Hz), 1.32(2H, m), 1.46(2H, m), 1.97(2H, m), 2.27(2H, ABq, J=16, 27Hz), 3.23(2H, s), 5.62(1H, br s)
MS（ES＋）m/e：168([MH+], 100％)
IR（フィルム）ν cm-1：1451, 1681, 1715, 2948, 3196
【手続補正４】
【補正対象書類名】明細書
【補正対象項目名】００８８
【補正方法】変更
【補正の内容】
【００８８】
（シス／トランス）−（７Ｒ）−７−メチル−２−アザ−スピロ［４.４］ノナン−３−オン（４）の合成
ニトロエステル（３）（１.９８ｇ，８.６６ミリモル）をメタノール（５０mL）に溶解し、３０℃で水素雰囲気下（４０psi）ラネーニッケル触媒上に振とうした。１８時間後、触媒をセライトで濾去した。溶媒を真空下に除去し、残存物をフラッシュクロマトグラフィー（シリカ、酢酸エチル：ヘプタン１：１）により精製し、白色固体１.０５ｇ（７９％）を得た。
1H NMR 400 MHz（CDCl3）：δ 1.03(3H, m), 1.22(2H, m), 1.60-2.15(5H, m), 2.22(2H, m), 3.20および3.27(2H 合計, 2×s, シスおよびトランス), 6.18(1H, br s)
MS（ES＋）m/e：154([MH+], 100％)
IR（フィルム）ν cm-1：1695, 2949, 3231
【手続補正５】
【補正対象書類名】明細書
【補正対象項目名】００９３
【補正方法】変更
【補正の内容】
【００９３】
（トランス）−７，８−ジメチル−２−アザ−スピロ［４.４］ノナン−３−オン（４）の合成
ニトロエステル（３）（０.８３ｇ，３.４ミリモル）をメタノール（３０mL）に溶解し、３０℃で水素雰囲気下（４０psi）ラネーニッケル触媒上に振とうした。４時間後、触媒をセライトで濾去した。溶媒を真空下に除去し、得られた淡黄色油状物５６７mg（９９％）は放置により固化した。
1H NMR 400 MHz（CDCl3）：δ 0.89(3H, d, J=6Hz), 1.38(2H, m), 1.91(2H, m), 2.10(2H, m), 2.32(2H, s), 3.18(2H, s), 5.61(1H, br s)
MS（ES＋）m/e：168（[MH+], 100％）
IR（フィルム）ν cm-1：1304, 1450, 1699, 2871, 3186
【手続補正６】
【補正対象書類名】明細書
【補正対象項目名】０１１２
【補正方法】変更
【補正の内容】
【０１１２】
（±）−７,７−ジメチル−２−アザ−スピロ［４.４］ノナン−３−オン（４）の合成
エステル３（３８０mg，１.６ミリモル）およびラネーニッケル（１ｇ）をメタノール（７５mL）に懸濁し、２４時間水素雰囲気下に振とうした。触媒を濾去し、濾液を濃縮し、白色固体としてラクタム４（２４６mg，９４％）を得た。
1H NMR (400 MHz，CD3OD)：δ 3.21(1H, d), 3.08(1H, d), 2.24(1H, d), 2.18(1H, d), 1.72(2H, m), 1.5-1.4(4H, m), 0.98(6H, s)
MS (m/z)：168（MH+, 40％)